(57)【要約】【課題】    工場における部品供給装置、物品の保管棚や通い箱などの移送装置の改善を課題とし、部品、物品や通い箱がスライドしやすいスライド板を有する使い勝手の良い移送装置を提供することにある。加えて、陳列されている商品がスライドしやすいスライド板を有する使い勝手の良い陳列棚を提供することにある。そして、上記の陳列棚、部品供給装置や保管棚に用いる移送装置をプラスチック材料で構成することが特徴である。【解決手段】      以下の構成としたことを特徴とするプラスチック製スライド板を複数組み合わせた移送システム。（１）平板で長方形のプラスチック板１。（２）前記プラスチック板１の表面に設けられる、棒状のリブで、かつ、断面半円状であるスライドリブ４。（３）少なくとも２本以上の前記スライドリブ４が、前記プラスチック板１の表面にほぼ平行に形成されるプラスチック製スライド板３。（４）前記プラスチック製スライド板３を、複数で、かつ、平行して棚や床に載置しまたは固定して用いる移送システム。【選択図】図１
2007145598.tif 000002
【特許請求の範囲】
【請求項１】
商品の陳列棚装置、部品を載置して取出すための部品供給装置、通い箱などの物品載置する保管棚や移送する移送装置において、以下の構成としたことを特徴とするプラスチック製スライド板を複数組み合わせた移送システム。
（１）平板で長方形のプラスチック板。
（２）前記プラスチック板の表面に設けられる、棒状のリブで、かつ、断面半円状であるスライドリブ。
（３）少なくとも２本以上の前記スライドリブが、前記プラスチック板の表面にほぼ平行に形成されるプラスチック製スライド板。
（４）前記プラスチック製スライド板を、複数で、かつ、平行して棚や床に載置しまたは固定して用いる移送システム。
【請求項２】
（１）平板で長方形のプラスチック板。
（２）前記プラスチック板の表面に設けられる、棒状のリブで、かつ、断面三角形状であるスライドリブ。
（３）少なくとも２本以上の前記スライドリブが、前記プラスチック板の表面にほぼ平行に形成されるプラスチック製スライド板。
（４）前記プラスチック製スライド板を、複数で、かつ、平行して棚や床に載置しまたは固定して用いる移送システム。
【請求項３】
前記請求項１ないし２のいずれか一に記載のプラスチック製スライド板を複数組み合わせた移送システムにおいて、
前記プラスチック板の表面および裏面に対象にスライドリブが設けられることを特徴とするプラスチック製スライド板を複数組み合わせた移送システム。
【請求項４】
前記請求項１ないし３のいずれか一に記載のプラスチック製スライド板を複数組み合わせた移送システムにおいて、
前記プラスチック板の表面または裏面に、両面テープを利用して、前記スライド板を棚や床に固定することを特徴とするプラスチック製スライド板を複数組み合わせた移送システム。
【請求項５】
前記請求項１ないし３のいずれか一に記載のプラスチック製スライド板を複数組み合わせた移送システムにおいて、
前記プラスチック板の一部にビスや釘などの固着具を挿入するための挿入孔を設け、前記固着具で前記スライド板を棚や床に固定することを特徴とするプラスチック製スライド板を複数組み合わせた移送システム。
【発明の詳細な説明】
【技術分野】
【０００１】本発明は、特に工場などで使用される製品運搬用のパレットや部品供給用のパレット、または製品や物品を保管する保管棚、床の上で通い箱などを移送するための移送装置などに利用可能なプラスチック製スライド板を複数組み合わせた移送システムに関するものである。
さらに、百貨店、スーパーマーケット、コンビニエンスストア等の小売店の食料品売り場におけるプラスチック製の陳列棚、または、机、カウンターの天板などの強度を要する建材にも利用可能である。【０００２】（陳列装置に適用した場合について）
小売店等では多種類の缶入り飲料水、瓶入り飲料水、合成樹脂製ボトル入り飲料水等が販売されている。これらの商品は、商品棚に陳列されており、各種飲料水などの商品は、陳列棚の棚板上で各種類毎に分けて陳列棚の前列側から奥側に向けて整列させている。
客は陳列棚を見て自分が欲しい種類のものを選択しその最前列に置かれている商品から順次取り出して購入していく。一方、店員は残り少なくなってきた種類の商品を前列側へと送り出し奥側に新しい商品を補充していく。奥側に新しい商品を補充するのは、元から陳列している商品を先に販売する必要がある。
その商品を確実に手前側にスライドさせるスライド板としては、ローラー付きのものがあり新品のころのスライド性能は抜群であるが、ショーケース内での水滴や経時変化による棚板材の変質などで時間の経過とともにスライド性能が悪くなった。
さらに、簡易型の他の既存スライド板は、鉄板の表面を塗装したり、凹凸を設けているものがあったが、塗装がはげたり凹凸面での摩擦係数が大きいためにスライド性能面の問題があった。
【特許文献１】特開２００１−１９７９７７
【特許文献２】特開平８−１１４３８２
【０００３】（工場などで使用する場合について）
工場での製品生産時には、生産作業者が部品を組み付ける際に、多数の部品を身の周りに配置しておき適宜それを取ってコンベア上の仕掛り製品に組み込む作業をしている。その場合、多数の部品が例えばボックスの中や平板上に配置され、それを生産作業者がひとつずつ取って仕掛り製品に組み込む作業をする。特にセル方式または屋台方式といわれる生産方式では、一人の生産作業者が全部品を組み上げて完成品にするので、その多品種で多数の部品を取り上げる工程の効率化も課題になっている。
前記工程の効率化のひとつの対応としては、生産作業者の身の回りに配置されている多数の部品を載せたボックス状や平板状のパレットを改善して、作業を容易にすることであった。
生産用に使用する部品は、部品供給用のパレット上で各種類毎に分けて、生産作業者の手前から奥側に向けて整列させている。
生産作業者は、工場製品の組み立て手順により、その都度必要とされる部品を選択し最前列に置かれている部品から順次取り出して工場製品を組立ててゆく。順次、手前の部品から奥側の部品を取り出してゆくが、部品のスライド性が悪いと作業に師匠が出てそれが生産工程のロスにつながっていた。
さらに、工場内では部品などの入った通い箱を床の上で搬送する作業があり、また保管棚に部品や物品の一時保管をし、必要に応じてそれを取り出す作業があったが、これらの作業のためには薄手で簡単な構造、加えて安価な移送装置が必要であった。
そのために、部品を確実に手前側にスライドさせるスライド板として、ローラー付きのベルトコンベアなどが考えられるが、現状ではこれらの改善には目が向けられていなかったのが実情である。
【発明が解決しようとする課題】
【０００４】そこで、本発明では、工場における部品供給装置、物品の保管棚や通い箱などの移送装置の改善を課題とし、部品、物品や通い箱がスライドしやすいスライド板を有する使い勝手の良い移送装置を提供することにある。
加えて、陳列されている商品がスライドしやすいスライド板を有する使い勝手の良い陳列棚を提供することにある。
そして、上記の陳列棚、部品供給装置や保管棚に用いる移送装置をプラスチック材料で構成することが特徴である。
【０００５】この種の装置は、強度や反りの対策のため、通常は鉄板などの金属材料を使用するのが普通であるが、装置そのものが重くなり棚類への加重が問題になるし、移動などの作業性が悪くなるという欠点があった。さらに、プラスチック材料に比較して、切削や板金および各種の形状加工の際の困難性があった。そこで、本発明は、軽量で加工性の良いプラスチック材料で移送装置を形成しようとするものである。強度的には、ナイロン、ジュラコン、ＡＢＳやポリカーボネートなどの樹脂材料を採用すれば問題は無い。ただし、成形性は他の樹脂材料、例えばポリプロピレンなどに比べれば悪いので、本発明のように種々の構造上の工夫が必要となる。
【課題を解決するための手段】
【０００６】本発明は、上記課題を解決するためのもので、以下の特徴を有する。
請求項１においては、
商品の陳列棚装置、部品を載置して取出すための部品供給装置、通い箱などの物品載置する保管棚や移送する移送装置において、以下の構成としたことを特徴とするプラスチック製スライド板を複数組み合わせた移送システム。
（１）平板で長方形のプラスチック板。
（２）前記プラスチック板の表面に設けられる、棒状のリブで、かつ、断面半円状であるスライドリブ。
（３）少なくとも２本以上の前記スライドリブが、前記プラスチック板の表面にほぼ平行に形成されるプラスチック製スライド板。
（４）前記プラスチック製スライド板を、複数で、かつ、平行して棚や床に載置しまたは固定して用いる移送システム。
請求項２においては、
（１）平板で長方形のプラスチック板。
（２）前記プラスチック板の表面に設けられる、棒状のリブで、かつ、断面三角形状であるスライドリブ。
（３）少なくとも２本以上の前記スライドリブが、前記プラスチック板の表面にほぼ平行に形成されるプラスチック製スライド板。
（４）前記プラスチック製スライド板を、複数で、かつ、平行して棚や床に載置しまたは固定して用いる移送システム。
請求項３においては、
前記請求項１ないし２のいずれか一に記載のプラスチック製スライド板を複数組み合わせた移送システムに加えて、
前記プラスチック板の表面および裏面に対象にスライドリブが設けられることを特徴とするプラスチック製スライド板を複数組み合わせた移送システム。
請求項４においては、
前記請求項１ないし３のいずれか一に記載のプラスチック製スライド板を複数組み合わせた移送システムに加えて、
前記プラスチック板の表面または裏面に、両面テープを利用して、前記スライド板を棚や床に固定することを特徴とするプラスチック製スライド板を複数組み合わせた移送システム。
請求項５においては、
前記請求項１ないし３のいずれか一に記載のプラスチック製スライド板を複数組み合わせた移送システムに加えて、
前記プラスチック板の一部にビスや釘などの固着具を挿入するための挿入孔を設け、前記固着具で前記スライド板を棚や床に固定することを特徴とするプラスチック製スライド板を複数組み合わせた移送システム。
【発明の効果】
【０００７】本発明の請求項１においては、陳列棚や部品供給装置、保管棚や物品の移送装置に、一方向に伸びる断面半円状の複数のスライドリブをもつ、複数のスライド板を平行に配置するシステムとしたので、商品や部品、物品のスライドが確実に行なわれる。加えて、スライドリブが断面半円状であるためその接触面が大きく、重量のある商品や部品、物品でも加重に耐えることのできる移送システムを提供できる。
【０００８】本発明の請求項２においては、陳列棚や部品供給装置、保管棚や物品の移送装置に、一方向に伸びる断面三角状の複数のスライドリブをもつ、複数のスライド板を平行に配置するシステムとしたので、商品や部品、物品のスライドが確実に行なわれる。加えて、スライドリブが断面三角状であるためその接触面が小さく、摩擦係数が小さいことによってよりスライド性能の高い移送システムを提供できる。
【０００９】本発明の請求項３においては、スライドリブをスライド板の表面と裏面に設けたので、両面での使用が可能になり、経済効果が大きい。加えて、両面に設けられたスライドリブの張力によりスライド板の反りを防止できる。
【００１０】本発明の請求項４ないし５においては、スライド板の一方の面に両面テープを張って棚や床へスライド板を固定することができ、他の方法としてスライド板の成形時にスライド板の一部に固着具の挿入孔を設けたので、非常に簡単な構成で確実にスライド板を固定できる。
【発明を実施するための最良の形態】
【００１１】以下に、実施例を掲げて本発明を具体的に説明するが、この発明の範囲はこれらの例示に限定されるものではない。また、本発明中の説明においては「工場などで使用する場合」を中心に行なうが、本発明は、缶、びん、等の容器入り飲料および包装された菓子等の商品が陳列販売される陳列棚にも適用できる。
【実施例】
【００１２】以下実施例に基いて詳細に説明をする。
図１は、スライド板を棚または床２の上に複数枚配置した本発明の移送システムを示すもので、１は平板状のプラスチック板である。前記プラスチック板１上には棒状の断面半円状のスライドリブ４が形成され、そのスライドリブ４は複数本（図では３本）平行に配置されてスライド板３が構成される。本発明においては、複数枚（図では６枚）のスライド板３が棚または床２の上に配置されて移送システムが構成される。
図示はしないが、この移送システムで移送されるのは、部品の入った段ボールや通い箱などであり、そのサイズは比較的大きいもの（例えば、３辺の径が２ｍｍ程度の段ボールなど）を移送する際に便利である。
従来であれば、段ボールの移送に際しては、その一辺の径に適した面積のスライド板（例えば７００ｃｍ角）が必要であるが、プラスチック成形において７００ｃｍ角の平板を成形することは、反りや収縮が生じて非常に成形が困難になるという問題が生じた。
本発明においては、例えば５ｃｍ×５０ｃｍの短冊状の複数のスライド板３を、適宜間隔を置いて棚または床２に載置するので、移送する物品のサイズに合わせることが可能である。
また、５ｃｍ×５０ｃｍの短冊状のスライド板３なので、射出成形でも成形可能だし、押し出し成形によっても本発明のスライド板３は得られる。つまり、簡単に成形ができるので移送システムそのものが安価にできるメリットがある。
数十メートルに及ぶ長い移送路が必要な場合は、スライド板３を長手方向に必要枚数だけ載置してゆけば良い。
ビンや缶などの小物を扱う場合は、複数のスライド板３を短手方向へ密着して配置して、実質的に一枚のスライド板として利用すれば良い。
樹脂材料としては、ナイロン、ジュラコン、ＡＢＳやポリカーボネートなどを使用するため、物品の摺動や加重に耐えられるスライド板が得られる。
本発明の特徴は、軽量で安価なプラスチックを利用したスライド板と、それを自在に組み合わせることで、非常に経済効果が高く取り扱いの容易な物品の移送システムが得られるということである。
従来は、前述したローラー付きのスライド装置や鉄板の表面を塗装したり、凹凸を設けているものがあったがいずれもスライド性能面での問題があった。場合によっては、電気駆動の搬送車を用いるシステムもあったが、これは誘導装置や搬送車自体のコストが高く生産コストも高くなる欠点があった。本発明は、これら従来装置の欠点を一挙に解決するシステムである。【００１３】図２は、本発明の他の実施例を示すもので、平板状のプラスチック板１上には棒状の断面三角状のスライドリブ４が形成され、そのスライドリブ４は複数本（図では２本）平行に配置されてスライド板３が構成される。本発明においては、複数枚（図では２枚）のスライド板３が棚または床２の上に配置されて移送システムが構成される。
本実施例の場合は、断面三角状のスライドリブ４を用いるので、移送される物品との摩擦係数は小さくなり、スライド性能が高くなるというメリットがある。
図１の断面半円状のスライドリブを有するスライド板を使うか、または、図２の断面三角状のスライドリブを有するスライド板を使うかは、移送する物品によって選択すれば良い。
また、工場での製品組み立て時の部品を載置するパレットにおいては、多数の異品種部品を使用することから、それらを効率よく配置して生産作業者の作業効率を良くする必要がある。
多数の部品を載置するために面積の大きなスライド板が必要となるが、現状のプラスチック成形においては反りがなく均一な平板を作るのは５０ｃｍ角が限度である。そこで、複数のスライド板を組み合わせて実質的に大型のスライド板を提供できるものである。【００１４】図３は、本発明のスライド板５の拡大斜視図を示すもので、プラスチック板１上にスライドリブをストライプ状に形成したものである。商品をスライドさせるためには、単なる平板では物品のスライドは容易ではないので、物品の底部との摩擦係数を少なくするために複数のスライドリブ４を設けたものである。さらに、スライドリブ４の無い側であるスライド板３の裏面に、両面テープ５を貼り付けると共に、棚または床にその両面テープ側を載置して固定する。
両面テープなので、載置位置を変更する場合でも簡単に張り直しが効くので非常に取り扱いの楽な移送システムになる。
本発明の実施例の場合は、通い箱の移送を想定しているが、その場合の寸法は、スライドリブ４の高さは０．５ｍｍ、平板部分は２ｍｍで、スライド板の厚みは総計で３ｍｍ程度である。この程度の厚みで、かつ、リブになっているので、使用する樹脂材料の料が少なくて済むというメリットもある。【００１５】図４は、本発明のスライド板５の他の実施例を示すもので、複数のスライドリブ４を断面三角状にして、物品との摩擦係数を低くするものである。ただし、頂点が鋭角なので棚または床にスライド板３を張る場合には、貼付面積が小さいので両面テープでの固定には適さない。そこで、スライド板の成形時に、スライド板３の両端にビスや釘などが挿入されるための挿入孔６が設けられる。両面テープの場合は、その固着力に問題があるが、ビスや釘などによる固着は半永久的であり、移送システムを変えないときには有効な方法である。【００１６】図５は、断面三角状のスライドリブ４が、プラスチック板１の両面に設けられたスライド板３を示す。そして、２本のスライドリブ４の間に、ビスや釘などが挿入されるための挿入孔６が設けられる。
図６は、断面半円状のスライドリブ４が、プラスチック板１の両面に設けられたスライド板３を示す。そして、スライド板３の一方の面に両面テープ５が張られる。断面半円状なので両面テープ５は充分に張れるだけの接着面がある。
図５および図６のその他の構成および作用効果は、図３および図４の説明と同様である。【００１７】図７は、図５のＡ−Ａ‘断面図を示すもので、プラスチック板１の中央部に挿入孔６が設けられ、さらにその両面に断面三角状のスライドリブ４が設けられている。
図８も同じく、図６のＢ−Ｂ‘断面図を示すもので、プラスチック板１の両面に断面半円状のスライドリブ４が設けられている。【００１８】図９は、本発明の平板を成形するための金型７の断面図を示すもので、上型と下型に、それぞれプラスチック板１を作るためのプラスチック板溝１‘とスライドリブ溝４’が対称に形成される。
本発明の一実施例である両面彫りの場合は、溶融樹脂の射出後に前記上型と下型に離型のための同等の負荷をかけると、互いの型表面は同等の形状であるため、離型時にかかる負荷も同じ程度になる。このため、同じタイミングで離型操作をすることで押出しピンを用いなくても成形品である平板１を簡単に離型できる。したがって、通常の離型のための押し出しピン用の押し出しピン孔が不要となり、金型製造が非常にやりやすく、かつ、押し出し動作による成形品の変形がなくなり、さらに、ショット数が上がるという利点がある。
【図面の簡単な説明】
【００１９】
【図１】本発明のスライド板を用いた実施例を示す斜視図である。
【図２】本発明のスライド板を用いた実施例を示す斜視図である。
【図３】本発明のスライド板を示す斜視図である。
【図４】本発明のスライド板の他の一例を示す斜視図である。
【図５】本発明のスライド板の他の一例を示す斜視図である。
【図６】本発明のスライド板の他の一例を示す斜視図である。
【図７】本発明のスライド板の実施例を示す断面図である。
【図８】本発明のスライド板の実施例を示す断面図である。
【図９】本発明のスライド板を成形する金型を示す断面図である。
【符号の説明】
【００２０】１    プラスチック板
１‘  プラスチック板溝
２    棚または床
３    スライド板
４    スライド板
４‘  スライド板溝
５    両面テープ
６    挿入孔
７    金型
【図１】
2007145598.tif 000003
【図２】
2007145598.tif 000004
【図３】
2007145598.tif 000005
【図４】
2007145598.tif 000006
【図５】
2007145598.tif 000007
【図６】
2007145598.tif 000008
【図７】
2007145598.tif 000009
【図８】
2007145598.tif 000010
【図９】
2007145598.tif 000011